(57)【要約】【課題】  関連する複数のメールを一括して所望の処理を行うことができる送受信メールのグループ処理機能を有する携帯電話を提供する。【解決手段】  メールの送受信機能を有する携帯電話１０であって、  携帯電話１０は、分割して送受信された分割メールおよび／または利用者が関連するメールをメールグループとして関連付けを登録するグループ設定部２７と、利用者が指定したメール処理を利用者が選択したメールに対して行うメール処理制御部３０と、を備え、  メール処理制御部３０は、グループ登録されたメールの１つを選択してメール処理が指定された場合、同一のメールグループに登録されたメールを一括して指定されたメール処理を実行する。【選択図】        図１
2007206831.tif 000002
【特許請求の範囲】
【請求項１】
メールの送受信機能を有する携帯電話であって、
前記携帯電話は、分割して送受信された分割メールおよび／または利用者が関連するメールをメールグループとして関連付けを登録するグループ設定部と、利用者が指定したメール処理を利用者が選択したメールに対して行うメール処理制御部と、を備え、
前記メール処理制御部は、グループ登録されたメールの１つを選択してメール処理が指定された場合、同一のメールグループに登録されたメールを一括して指定されたメール処理を実行することを特徴とする送受信メールのグループ処理機能を有する携帯電話。
【請求項２】
前記メール処理制御部は、グループ登録されたメールの１つが選択され、メール削除処理が指定され場合、同一のメールグループに登録されたメールを一括して削除することを特徴とする請求項１に記載の送受信メールのグループ処理機能を有する携帯電話。
【請求項３】
前記メール処理制御部は、グループ登録されたメールの１つが選択され、メール転送処理が指定され場合、同一のメールグループに登録されたメールを一括して指定の宛先に転送することを特徴とする請求項１に記載の送受信メールのグループ処理機能を有する携帯電話。
【請求項４】
前記メール処理部は、メール送信処理が指定された場合、利用者が作成したメールのデータ量を算出し、前記算出したデータ量が規定のデータ量を超えた場合には、当該作成メールを分割して指定された宛先に送信し、当該送信メールを保存する際、グループ設定部に当該分割メールのグループ設定を行わせることを特徴とする請求項１に記載の送受信メールのグループ処理機能を有する携帯電話。
【請求項５】
前記携帯電話は更に、メール表示制御部を備え、該メール表示制御部は、グループ登録された分割メールの１つが選択され、メール表示処理が指定され場合、同一のメールグループに登録された分割メールを結合して表示部に表示することを特徴とする請求項１または請求項４に記載の送受信メールのグループ処理機能を有する携帯電話。
【発明の詳細な説明】
【技術分野】
【０００１】
本発明は、携帯電話におけるメール送受信機能に関するものであり、特に、文字数制限により分割して送受信されたメールや互いに関連するメールをメールグループとして関連付けしておき、関連付けられたメールグループの１つのメールが選択され、所望のメール操作が行われた際に、同じメールグループに属する複数のメールを一括して処理するようにした送受信メールのグループ処理機能を有する携帯電話に関するものである。
【背景技術】
【０００２】
近年の情報処理技術、通信技術の発展に伴い種々の携帯型の情報通信端末装置（以下、携帯端末装置という）が広く普及している。このような携帯端末装置は、利用者が外出先からインターネットなどのネットワークを介して種々サービスを提供する情報配信サーバや所望のウェブサイトに接続して当該サービスを受け、あるいは情報を取得したり、自社のネットワークに接続したりして業務上必要な情報を取得することができる。
【０００３】
最近では、携帯電話のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、自動販売機、交通機関やコンビニエンスストアなどの代金決済など、様々なサービスを受けることができるようになってきている。特に携帯電話においては種々のオプションやアプリケーションが搭載可能であり、利用できるサービスの種類も豊富になってきている。
【０００４】
また、第３世代と称される携帯電話にはＧＰＳ受信機が搭載され、携帯電話自体が位置する現在位置（緯度・経度）を測定することができ、携帯電話を端末装置としたナビゲーションシステムも実用化されている。このような測位システムを利用して、高齢者や児童などの位置確認や、犯罪や火災などの事件、事故における通報時の位置確認などに利用できるシステムも種々検討されている。
【０００５】
更に、利用者は、サービス事業者が提供するブラウザやアプリケーション、ゲームソフトのように携帯電話用として開発された様々なアプリケーションなどを自身が所有する携帯電話にインストールして所望のサービスや機能を追加するためカスタマイズすることができる。
【０００６】
携帯電話の主要な機能は通話機能であるが、通話に変わる手段としてインターネットを利用した電子メール（以下、単にメールと称する）を他用する利用者は多い。これは通話料金に対して、インターネットを利用したデータ通信料金が低くまた、料金の定額化が定着したこと、メールの場合には送信者と受信者との間の回線接続が必要なく、送受信者の双方が任意に都合のよい時にメール送受信操作をすることができることなどの理由による。
【０００７】
携帯電話におけるメールの送受信においては、一度に送受信できるデータ量、すなわち通信パケット量に制約を設けている通信事業者が殆どである。一般的には、一度に通信できる通信パケット量がテキストデータで５００文字程度に設定されている。このような制約のため、５００文字を超えるデータ量のメール本文を作成した場合、通常は超過したデータは切り捨てられ、途中までのデータしか送受信できない。
従って、利用者が作成したメールのデータ量が制約を超えているか否かを確認した上でメール送信をするなどの煩わしい操作をしない場合、相手方に送信したメール本文が途中で切り捨てられ、全文が届いていないケースが発生する。メール中にイメージを貼り付けたり、絵文字などを使用したりした場合には、テキスト量が制約を超えたかがわからず、メール本文の一部が切り捨てられたことに送信者が気がつかないという問題が生じる。
【０００８】
このような不具合を解消するために、規定のデータ量を超えるメールの場合、自動的にメールを分割して送信する機能を備えた通信装置も提案されている。例えば、下記の特許文献１（特開２００２−１５７１９２号公報）には、利用者が作成したメールの字数が制限を超えた場合に警告表示を行い、分割メールとして送信するか否かの選択画面を表示し、利用者が制約文字数を超えたことを知り、分割メール送信するか否かを指定できるようにした通信端末装置が開示されている。
【０００９】
また、下記の特許文献２（特開２００２−２４７１０２号公報）には、送信者から送信された分割メールを宛先に配信する際、ヘッダーに分割メール有無や残り文字数などを付加する加工を行うメール加工サーバを設けたメール送信方法が開示されている。このようなメール送信方法によれば、分割メールの受信者は、ヘッダーを参照して分割メールの有無、残り文字数を知り、分割された残りのメールを受信するか否かを選択することができるようになる。
【特許文献１】特開２００２−１５７１９２号公報（図４）
【特許文献２】特開２００２−２４７１０２号公報(図３、図４)
【発明の開示】
【発明が解決しようとする課題】
【００１０】
ところで、携帯電話におけるメールの処理としては、メールの送受信の他に、送受信メールを表示するメール表示処理、メールを他のアドレスに転送するメール転送処理、保存してある送受信メールを削除するメール削除処理、返信メールを作成して送信するメール返信処理など、各種のメール処理操作がある。このようなメール処理操作においては操作対象のメールは１通を対象に行われる。
【００１１】
例えば、メール表示処理において表示手段に表示されるメールは利用者が選択した１通のメールが対象である。他のメール処理においても同様である。すなわち、メール処理において、複数のメールを対象として一度に何らかのメール処理、例えばメール表示処理、メール削除処理などを実行することはできない。
【００１２】
受信したメールの中には、分割された複数のメール、送信したメールに対する返信メール、同一サブジェクトのメールに対する返信メールなど、関連のある複数のメールが存在することも多い。このようなメールを処理する場合、１通のメールごとに処理を繰り返す操作をしなければならない。例えば、分割メールを削除するメール削除処理を行う場合、分割されたメールを１通ずつ選択して削除する処理を繰り返すことが必要になる。このため利用者にとって操作が煩雑になるという問題点があった。
【００１３】
上記特許文献１に開示された携帯電話においては、メール送信の際に文字数が制約文字数を超えた場合に分割メールとして送信する機能が提供されているが、受信側でメール処理する手順については考慮されておらず、上記の問題点を解消することはできない。
【００１４】
また、上記特許文献２に開示されたメール送信方法においては、分割メールを受信する際、受信側で残りのメールを受信するか否かを選択できる機能は提供されているが、受信した後のメール処理手順については考慮されておらず、やはり上記のような問題点を解決するものではない。
【００１５】
本願の発明者は上記の問題点を解消すべく種々検討を重ねた結果、互いに関連するメールをメールグループとして関連付けしておき、メールグループとして関連付けられた複数のメールのうちの１通のメールが選択されて所望のメール処理が行われた場合、当該メールグループとして関連付けられた複数のメールを一括して処理するようになせば上記問題点を解消し得ることに想到し、本発明を完成するに至ったものである。
【００１６】
すなわち、本発明は上記の問題点を解消することを課題とし、関連する複数のメールを一括して所望の処理を行うことができる送受信メールのグループ処理機能を有する携帯電話を提供することを目的とするものである。
【課題を解決するための手段】
【００１７】
前記課題を解決するために、本願の請求項１にかかる発明は、
メールの送受信機能を有する携帯電話であって、
前記携帯電話は、分割して送受信された分割メールおよび／または利用者が関連するメールをメールグループとして関連付けを登録するグループ設定部と、利用者が指定したメール処理を利用者が選択したメールに対して行うメール処理制御部と、を備え、
前記メール処理制御部は、グループ登録されたメールの１つを選択してメール処理が指定された場合、同一のメールグループに登録されたメールを一括して指定されたメール処理を実行することを特徴とする。
【００１８】
本願の請求項２にかかる発明は、請求項１にかかる携帯電話において、
前記メール処理制御部は、グループ登録されたメールの１つが選択され、メール削除処理が指定され場合、同一のメールグループに登録されたメールを一括して削除することを特徴とする。
【００１９】
本願の請求項３にかかる発明は、請求項１にかかる携帯電話において、
前記メール処理制御部は、グループ登録されたメールの１つが選択され、メール転送処理が指定され場合、同一のメールグループに登録されたメールを一括して指定の宛先に転送することを特徴とする。
【００２０】
また、本願の請求項４にかかる発明は、請求項１にかかる携帯電話において、
前記メール処理部は、メール送信処理が指定された場合、利用者が作成したメールのデータ量を算出し、前記算出したデータ量が規定のデータ量を超えた場合には、当該作成メールを分割して指定された宛先に送信し、当該送信メールを保存する際、グループ設定部に当該分割メールのグループ設定を行わせることを特徴とする。
【００２１】
本願の請求項５にかかる発明は、請求項１または請求項４にかかる携帯電話において、
前記携帯電話は更に、メール表示制御部を備え、該メール表示制御部は、グループ登録された分割メールの１つが選択され、メール表示処理が指定され場合、同一のメールグループに登録された分割メールを結合して表示部に表示することを特徴とする。
【発明の効果】
【００２２】
請求項１にかかる発明においては、携帯電話は、分割して送受信された分割メールおよび／または利用者が関連するメールをメールグループとして関連付けを登録するグループ設定部と、利用者が指定したメール処理を利用者が選択したメールに対して行うメール処理制御部と、を備え、メール処理制御部は、グループ登録されたメールの１つを選択してメール処理が指定された場合、同一のメールグループに登録されたメールを一括して指定されたメール処理を実行する。
【００２３】
このような構成によれば、分割メールあるいは利用者が関連付けてグループ登録した複数のメールを一括して処理することができるようになる。
【００２４】
請求項２にかかる発明においては、請求項１にかかる携帯電話において、メール処理制御部は、グループ登録されたメールの１つが選択され、メール削除処理が指定され場合、同一のメールグループに登録されたメールを一括して削除する。このような構成によれば、利用者が特定のメールの削除処理を行った場合、当該メールに関連付けられた複数のメールがグループ登録されていれば、関連するメールを一括して削除することができるようになる。
【００２５】
請求項３にかかる発明においては、請求項１にかかる携帯電話において、メール処理制御部は、グループ登録されたメールの１つが選択され、メール転送処理が指定され場合、同一のメールグループに登録されたメールを一括して指定の宛先に転送する。このような構成によれば、利用者が特定のメールの転送処理を行った場合、当該メールに関連付けられた複数のメールがグループ登録されていれば、関連するメールを一括して転送することができるようになる。
【００２６】
請求項４にかかる発明においては、請求項１にかかる携帯電話において、メール処理部は、メール送信処理が指定された場合、利用者が作成したメールのデータ量を算出し、前記算出したデータ量が規定のデータ量を超えた場合には、当該作成メールを分割して指定された宛先に送信し、当該送信メールを保存する際、グループ設定部に当該分割メールのグループ設定を行わせる。このような構成によれば、利用者がメール送信する場合、規定のデータ量を超えてメールを作成しても、分割メールとして送信され、また、送信された分割メールが同一のメールグループに登録される。従って、送信した分割メールを一括して処理することができるようになる。
【００２７】
請求項５にかかる発明においては、請求項１または請求項４にかかる携帯電話において、携帯電話は更に、メール表示制御部を備え、該メール表示制御部は、グループ登録された分割メールの１つが選択され、メール表示処理が指定され場合、同一のメールグループに登録された分割メールを結合して表示部に表示する。このように構成すれば、利用者が分割メールを表示する場合、複数のメールが結合されて表示されるため、１つのメールとして読むことができるようになる。
【発明を実施するための最良の形態】
【００２８】
以下、本発明の具体例を実施例及び図面を用いて詳細に説明する。但し、以下に示す実施例は、本発明の技術思想を具体化するための送受信メールのグループ処理機能を有する携帯電話を例示するものであって、本発明をこの携帯電話に特定することを意図するものではなく、特許請求の範囲に含まれるその他の実施形態の送受信メールのグループ処理機能を有する携帯電話にも等しく適用し得るものである。
【実施例】
【００２９】
図１は、本発明の実施例にかかる送受信メールのグループ処理機能を有する携帯電話１０の構成を示すブロック図、図２は図１の携帯電話１０の外観を示す外観図である。
【００３０】
携帯電話１０は、通話部１１と本発明にかかる機能制御部２１から構成されている。通話部１１は、マイク１２とスピーカ１３と無線部１４とから構成されている。無線部１４は、アンテナ、送受信回路、変復調回路、圧縮伸長回路、音声コーデック等を含んでおり、該無線部１４を介してマイク１２から入力された音声を音声信号として送信し、通話の相手方の音声信号を受信してスピーカ１３に出力する。
【００３１】
機能制御部２１は、主制御部２２、表示部２３、操作部２４、受信メール記憶部２５、送信メール記憶部２６、グループ設定部２７、メール表示制御部２８、表示メモリ２９、メール処理制御部３０などを備えて構成されている。主制御部２２は、マイクロコンピュータ、ＲＡＭ、ＲＯＭ等からなりコンピュータ装置として機能し、無線部１４および機能制御部２１の上記各部を制御する。
【００３２】
表示部２３、操作部２４は、携帯電話１０における通話のための表示および操作の他に、インターネット網を介したデータ通信のための操作および表示にも使用される。操作部２４は、通話時に電話番号入力をするため、また、電子メールをはじめとするインターネット網を介した各種のデータ通信サービスを利用するために所望の文字列を入力するために使用される。例えば、メール受信機能を起動している場合には、操作部２４は当該携帯電話１０に着信したメールを受信し、表示部２３は受信したメールを表示するために使用される。
【００３３】
操作部２４には、通話キー２４１、機能選択キー２４３、テンキー２４５が設けられ、通話時にはテンキー２４５を操作して電話番号を入力し、通話キー２４１を操作すると発信できる。また、テンキー２４５には英数字、カタカナ、ひらがなの文字が割り当てられ、図示していない英数カナ変換制御部により文字コード変換が行われる。文字コード変換は、入力モードが英数カナあるいはかな漢字変換モードであるかによりそれぞれ操作されたキーに応じた入力文字コードに変換される。機能選択キー２４３は携帯電話１０の所定の機能を有効にするキーであり、メーカー、機種によりこのキーに割当てられる機能は異なる。
【００３４】
図２は、図１に示す携帯電話１０の外観を示す図である。携帯電話１０は液晶表示ユニットなどで構成された表示部２３と操作部２４とを備えており、操作部２４には通話キー２４１と機能選択キー２４３と複数のテンキー２４５が設けられ、また、参照番号を付していないモードキーや表示部２３に表示された画面の特定表示画像を操作するためのカーソルキーなどを備えている。
【００３５】
受信メール記憶部２５には、携帯電話１０が受信したメールが記憶（保存）され、送信メール記憶部２６には携帯電話１０から送信したメールが記憶（保存）される。図３は受信メール記憶部２５に記憶された受信メールの一覧データを示す図である。図３に示すように受信メール１通ごとにメールＩＤが付され、そのメールの送信者／アドレス（送信者のメールアドレス）、メールの表題、受信日時が記録される。また、受信したメールが分割メールである場合には分割ＩＤ（分割された複数の受信メールに共通に付される分割ＩＤ）が記録される。送信メールについても同様に図４に示す一覧データが作成される。
【００３６】
図３、図４に示す受信メール一覧、送信メール一覧は、それぞれ受信メール記憶部２５、送信メール記憶部２６に記憶する構成にしてもよく、グループ設定部２７が使用する記憶領域に記憶する構成にしてもよい。
【００３７】
また、分割ＩＤはメールＩＤに分割数をサフィックスとして付加するようなＩＤ形態であってもよく、また、メールＩＤとは別のＩＤを付加し、分割数をサフィックスで付加する形態であってもよい。このように分割ＩＤを記憶しておくことにより、一連の分割メールを関連付けられた１つのグループメールとして後述する一括処理を行うことができるようになる。
【００３８】
グループ設定部２７は、送信メールと受信メールの間、あるいは、受信メール同士または送信メール同士で互いに関連するメールを関連付けてメールグループとする処理を行う。すなわち、携帯電話１０の利用者は、図３、図４に示す受信メール一覧、送信メール一覧を表示して関連付けするメールを選択しグループ登録操作をする。この操作によりグループ設定部２７が関連付けされたメールに対して同一のグループ登録ＩＤを付加する。
【００３９】
グループ設定部２７におけるグループ登録の処理は、操作部２４のキーに機能割当てをしておき、関連付けするメールを選択してこの機能キーを操作することによってグループ登録ＩＤを生成して付加するように構成することができる。また、表示部２３に表示するメール処理の操作メニューにグループ登録操作のアイコン画像を表示して、このアイコン画像を操作することによって行うように構成することもできる。
【００４０】
受信したメールが分割メールである場合、メール処理制御部３０はメール受信処理をする際、各分割メールに分割メールＩＤを付加する。この時、グループ設定部２７によって自動的にグループ登録ＩＤも付加することによって分割メールのグループ化が行われる。
【００４１】
なお、メール処理制御部３０が送信メールを処理する際、利用者が作成したメールの文字数が規定の文字数を超えている場合、自動的にメールを分割して指定された宛先に送信する分割メール送信を行う。分割メールの送信処理は上記特許文献１などに開示されたで技術を適用することができる。その際、受信メールと同様に分割メールＩＤを付加しておけば、送信分割メールについても受信分割メールと同様の一括処理ができるようになる。
【００４２】
メール表示制御部２８は受信メールを表示部２３に表示する際、選択された受信メールが分割メールである場合に、分割されたメールを結合して表示する処理を行う。すなわち、メール表示制御部２８は、表示のために選択されたメールに分割ＩＤが付加されている場合、図３に示す受信メール一覧を参照して同じ分割ＩＤを持つメールを特定し、これらのメールを受信メール記憶部２５から読み出し、メール本文を結合して表示メモリ２９に展開し、表示部２３に表示する。これにより分割メールを１つのメールに結合して表示することができる。
【００４３】
また、メール処理制御部３０は、利用者によって、受信メール記憶部２５、または、送信メール記憶部２６に記憶されたメールの１つが選択され、メール転送処理、メール削除処理などのメール処理操作が行われると、図３、図４に示す受信メール一覧、送信メール一覧を参照して、当該メールに付加されたグループ登録ＩＤと同じグループ登録ＩＤが付加されたメールを抽出し、抽出された全てのメールに対して指定されたメール処理を実行する制御を行う。
【００４４】
例えば、指定されたメール処理がメール削除であった場合、メール処理制御部３０は、グループ登録された全てのメールを一括して削除する処理を行う。メール転送処理も同様であり、指定された転送先に対してグループ登録された全てのメールを一括して転送する処理を行う。なお、ここでいう一括処理とはメール処理制御部３０が全てのメールを利用者の操作なしに自動的に順次処理する態様を含んでもよい。
【００４５】
また、分割メールについてもメール受信時に分割ＩＤを設定するとともにグループ登録ＩＤも自動的に設定しておけば、分割メールの１つを選択してメール処理を指定すれば、同じ分割ＩＤが付加された複数のメールを一括処理することができる。なお、メール処理制御部３０がメール処理する際にグループ登録ＩＤの他に分割ＩＤを参照して同じ分割ＩＤを有するメールを一括処理するように構成すれば、分割メールに対してグループ登録ＩＤを設定する必要がなくなる。
【００４６】
次に、以上説明した携帯電話１０のグループ処理の手順について図５および図６に示すフローチャートに基づいて説明する。図５は、複数の関連する送受信メールを関連付けしてグループ登録を行う処理手順を示すフローチャート、図６は、メールの一括処理を行う処理手順を示すフローチャートである。また、図７は、グループ登録された分割メールを表示する手順を示すフローチャートであり、図８は、メール送信処理の手順を示すフローチャートである。
【００４７】
先ず、図５を参照してメールグループの登録の手順について説明する。ステップＳ１１の処理においてメール処理制御部３０は分割メールを受信したか否かを判別する。分割メールの受信でなければステップＳ１４の処理に進み、分割メールの受信であればステップＳ１２の処理において分割メールに分割ＩＤを付加する。受信したメールはステップＳ１３の処理において受信メール記憶部２５に記憶（保存）される。
【００４８】
なお、受信メールを保存するか否かを利用者が選択する構成の場合は、メール保存処理が選択された場合に、ステップＳ１２、ステップＳ１３の処理を行う手順にすればよい。
【００４９】
次に、ステップＳ１４の処理においてメール処理制御部３０は、受信メールをグループ登録するか否か問い合わせるメッセージを表示部２３に表示する。利用者がグループ登録を選択しない場合はリターンしてステップＳ１１のメール受信判別の待ち状態に戻る。
【００５０】
利用者によってグループ登録が選択されると、ステップＳ１５の処理において、図３、図４に示す受信メール一覧、送信メール一覧を表示部２３に表示し、利用者がグループ登録するメールを選択するとステップＳ１６の処理に進む。ステップＳ１６の処理において利用者がグループ登録ＩＤを入力すると、それぞれのメールに入力されたグループ登録ＩＤが付加され、メールの関連付けが行われる。メール処理制御部３０がグループ登録ＩＤを自動的に採番して付加する構成をとる場合にはステップＳ１６の処理を省略し、利用者による入力の手間を省くこともできる。
【００５１】
ステップＳ１７の処理において、他にグループ登録するメールがあるか、利用者に確認するメッセージを表示する。利用者が他にグループ登録するメールありを選択するとステップＳ１５の処理に戻り、上記の処理を繰り返す。他にグループ登録するメールなしが選択されると、リターンしてステップＳ１１のメール受信判別の待ち状態に戻る。
【００５２】
なお、ステップＳ１４〜ステップＳ１８の処理は、メールの受信時以外にも利用者がメールグループの登録処理を選択して実行することもできる。
【００５３】
グループ登録された関連する複数のメールの一括処理は図６に示す手順によって行われる。メール処理制御部３０はステップＳ２１の処理において、利用者が受信メール記憶部２５または送信メール記憶部２６に記憶されたメールの１つを選択してメール削除処理やメール転送処理などのメール処理操作が行われたかを判別する。
【００５４】
メール処理操作が行われていなければ処理を終了し、メール処理操作が行われていればステップＳ２２の処理に進み、メール処理制御部３０は選択されているメールを受信メール記憶部２５または送信メール記憶部２６から読み出す。
【００５５】
次いでメール処理制御部３０はステップＳ２３の処理において図３、図４の受信メール一覧、送信メール一覧を参照し、ステップＳ２１の処理において利用者が選択したメールに付加されたグループ登録ＩＤと同じグループ登録ＩＤが付加されたメールがあるか否かを判別する。同じグループ登録ＩＤのメールがなければステップＳ２５の処理に進み、ステップＳ２２の処理において読み出したメールの処理（ステップＳ２１で指定された処理）を実行する。例えば、指定された処理がメール削除処理であればメールの削除処理が行われ、指定された処理がメール転送処理であれば、指定された宛先にメールを転送する処理が行われる。
【００５６】
ステップＳ２３の処理において同じグループ登録ＩＤが付加されたメールがあると判別した場合、メール処理制御部３０はステップＳ２４の処理において、それらのメールを受信メール記憶部２５、送信メール記憶部２６から読み出し、読み出したメールの全てをステップＳ２５の処理において一括処理する。
【００５７】
また、利用者が分割メールの表示処理の操作を行った場合は、図７の処理手順により関連する分割メールを結合して表示部２３に表示する。すなわち、ステップＳ３１の処理において利用者が任意のメールを選択して表示処理の操作を行った場合、メール表示制御部２８はステップＳ３２の処理において図３、図４の受信メール一覧、送信メール一覧を参照し、ステップＳ３１の処理において利用者が選択したメールに付加された分割ＩＤと同じ分割ＩＤが付加されたメールがあるか否かを判別する。
【００５８】
同じ分割ＩＤが付加されたメールがなければステップＳ３５の処理に進み、ステップＳ３５の処理に進み、選択されたメールを受信メール記憶部２５または送信メール記憶部２６から読み出し、ステップＳ３６の処理において表示メモリ２９に展開処理し、表示部２３に表示して処理を終了する。
【００５９】
同じ分割ＩＤが付加されたメールがあればステップＳ３３の処理においてメール表示制御部２８は、同じ分割ＩＤが付加された全てのメールを受信メール記憶部２５または送信メール記憶部２６から読み出し、ステップＳ３４の処理において表示メモリ２９にそれらのメールを結合して展開処理し、ステップＳ３６の処理において表示部２３に表示して処理を終了する。
【００６０】
次に、メール送信の手順について説明する。図８のフローチャートに示すようにステップＳ４１の処理において利用者がメール送信操作を行うと、ステップＳ４２の処理においてメール処理制御部３０は利用者が作成したメール（送信メール）のデータ量を算出し、ステップＳ４３の処理において送信メールのデータ量が規定のデータ量内であるかを判定する。算出されたデータ量が規定のデータ量を超えているとステップＳ４４の処理においてメール処理制御部３０は送信メールを分割しステップＳ４５の処理において分割メールを指定の宛先に送信する。算出されたデータ量が規定のデータ量の範囲内であればステップＳ４５でそのままメールを指定の宛先に送信する。
【００６１】
メール処理制御部３０はステップＳ４６の処理において送信メールを保存するか否かを判定する。利用者が送信メール保存を指定していなければ処理を終了し、保存を指定していればステップＳ４７の処理において送信メールを送信メール記憶部２６に保存する。そして、ステップＳ４８の処理において送信メールが分割メールであるか否かを判定する。
【００６２】
送信メールが分割メールでなければ、メール処理制御部３０は図４に示した送信メール一覧に送信メールに関するデータを追加して処理を終了する。送信メールが分割メールである場合、メール処理制御部３０は図４に示した送信メール一覧に送信メールに関するデータを追加する際に分割された送信メールごとに分割ＩＤを付加して記憶し、処理を終了する。
【００６３】
以上、説明したように本発明によれば、受信または送信した分割メール、利用者がグループ登録した関連するメールを一括してメール処理することができるようになる。また、分割メールを表示する際に分割されたメールを結合して表示することができるようになる。
【図面の簡単な説明】
【００６４】
【図１】本発明の実施例にかかる送受信メールのグループ処理機能を有する携帯電話の構成を示すブロック図である。
【図２】図１の携帯電話の外観を示す図である。
【図３】受信メール記憶部に記憶された受信メールの一覧のデータ構成を示す図である。
【図４】送信メール記憶部に記憶された送信メールの一覧のデータ構成を示す図である。
【図５】複数の関連する送受信メールを関連付けしてグループ登録を行う処理手順を示すフローチャートである。
【図６】メールの一括処理を行う処理手順を示すフローチャートである。
【図７】グループ登録された分割メールを表示する手順を示すフローチャートである。
【図８】メール送信処理の手順を示すフローチャートである。
【符号の説明】
【００６５】
１０・・・携帯電話
１１・・・通話部
１２・・・マイク
１３・・・スピーカ
１４・・・無線部
２１・・・機能制御部
２２・・・主制御部
２３・・・表示部
２４・・・操作部
２５・・・受信メール記憶部
２６・・・送信メール記憶部
２７・・・グループ設定部
２８・・・メール表示制御部
２９・・・表示メモリ
３０・・・メール処理制御部
【図１】
2007206831.tif 000003
【図２】
2007206831.tif 000004
【図３】
2007206831.tif 000005
【図４】
2007206831.tif 000006
【図５】
2007206831.tif 000007
【図６】
2007206831.tif 000008
【図７】
2007206831.tif 000009
【図８】
2007206831.tif 000010